(57)【要約】【課題】機能動作に応じて柔軟に液晶ディスプレイの省エネルギー化を図る。【解決手段】液晶パネルと液晶パネルを照明するバックライトとを備えた液晶ディスプレイと、バックライトに駆動電力を供給する電源部と、バックライトに供給される駆動電力を調整してバックライトの輝度を調整する輝度調整部と、各種機能動作の実行指示を受け付ける指示受付部と、各種機能動作について時間帯毎に予め定められた輝度パターンと当該輝度パターンに対応付けられたバックライトに供給する駆動電力とを記憶する記憶部と、指示受付部により実行指示が受け付けられると、当該実行指示が示す機能動作と当該実行指示が受け付けられた時間帯との組み合わせに対応する輝度パターンを記憶部から読み出して、当該読み出した輝度パターンで定められた駆動電力をバックライトに供給する指示を輝度調整部に送出する表示制御部とを備える。【選択図】図５
2012118246.tif 000002
【特許請求の範囲】
【請求項１】
液晶パネルと前記液晶パネルを照明するバックライトとを備えた液晶ディスプレイと、
前記バックライトに駆動電力を供給する電源部と、
前記電源部によって前記バックライトに供給される前記駆動電力を調整して前記バックライトの輝度を調整する輝度調整部と、
当該表示装置が備えられる電気機器において実行可能な各種機能動作の実行指示を受け付ける指示受付部と、
前記各種機能動作について時間帯毎に予め定められた輝度パターンと当該輝度パターンに対応付けられた前記バックライトに供給する前記駆動電力とを記憶する記憶部と、
前記指示受付部により前記実行指示が受け付けられると、当該実行指示が示す前記機能動作と当該実行指示が受け付けられた前記時間帯との組み合わせに対応する前記輝度パターンを前記記憶部から読み出して、当該読み出した前記輝度パターンで定められた前記駆動電力を前記バックライトに供給する指示を前記輝度調整部に送出する表示制御部と、
を備える表示装置。
【請求項２】
前記指示受付部は、前記各種機能動作の実行指示として、
当該表示装置から入力された前記各種機能動作の即時実行指示と、
当該表示装置とは異なる外部装置から入力された前記各種機能動作の即時実行指示と、
前記表示装置から入力された所定時刻に前記各種機能動作を実行させる前記各種機能動作の予約実行指示と、
前記外部装置から入力された所定時刻に前記各種機能動作を実行させる前記各種機能動作の予約実行指示と、
を受け付け、
前記輝度パターンは、前記指示受付部で受け付けられる前記実行指示の入力装置及び前記各種機能動作の即時実行の可否に応じて更に分類されている請求項１に記載の表示装置。
【請求項３】
請求項１または２に記載の表示装置と、
画像データを受け付ける画像データ受付部と、
前記画像データ受付部が受け付けた画像データを記録紙に形成する画像形成部と、
を備える画像形成装置。
【請求項４】
液晶パネルと前記液晶パネルを照明するバックライトとを備えた液晶ディスプレイと、前記バックライトに駆動電力を供給する電源部と、当該表示装置が備えられる電気機器において実行可能な各種機能動作について時間帯毎に予め定められた輝度パターンと当該輝度パターンに対応付けられた前記バックライトに供給する前記駆動電力とを記憶する記憶部と、を備えた表示装置における表示方法であって、
前記電源部によって前記バックライトに供給される前記駆動電力を調整して前記バックライトの輝度を調整する輝度調整ステップと、
前記各種機能動作の実行指示を受け付ける指示受付ステップと、
前記指示受付ステップにより前記実行指示が受け付けられると、当該実行指示が示す前記機能動作と当該実行指示が受け付けられた前記時間帯との組み合わせに対応する前記輝度パターンを前記記憶部から読み出して、当該読み出した前記輝度パターンで定められた前記駆動電力を前記バックライトに供給する指示を前記輝度調整ステップに送出する表示制御ステップと、
を備える表示方法。
【発明の詳細な説明】
【技術分野】
【０００１】
本発明は、表示装置、画像形成装置、及び表示方法に関するものである。
【背景技術】
【０００２】
ファクシミリ装置、複写機、複合機など、待機状態及びコピーなどの処理を行っている状態において、液晶パネルに表示される操作ボタンや文字を表す図形等を入力操作可能なタッチパネル式の液晶ディスプレイを用いた機器が存在する。
【０００３】
この種の液晶ディスプレイには、液晶パネルを照明するバックライトが設けられている。この種のバックライトによる液晶パネルの照明に要される電力は、液晶ディスプレイの駆動に要される電力の多くを占めている。このため、バックライトの消費電力を削減することは重要である。
【０００４】
例えば、下記特許文献１では、ユーザにより予め入力された第１の時刻及び第２の時刻になると、８段階に輝度レベルが変更可能に構成されたバックライトの輝度レベルを、当該第１の時刻及び第２の時刻に対応付けて予め定められた輝度レベルに切り替える技術が提案されている。
【先行技術文献】
【特許文献】
【０００５】
【特許文献１】特開２００４−００４２１７号公報
【発明の概要】
【発明が解決しようとする課題】
【０００６】
しかしながら、上記特許文献１の装置では、時間帯に応じて自動的にバックライトの輝度が予め定められた輝度レベルに切り替えられるため、例えば、休日等に複合機付近の室内照明が消灯されている場合に、複合機から離間した位置にあるパソコンからネットワーク経由で複合機にデータ入力して、バックライトを点灯させることなくプリント出力することができるときであっても、当該データ入力時の時間帯に応じた予め定められた輝度レベルでバックライトが点灯されてしまう等、実行指示される機能動作に応じて適切にバックライトを制御することによって更なる省エネルギー化を図れる余地があった。
【０００７】
本発明は、上述した問題点を解決するためになされたものであり、実行指示される機能動作に応じて、柔軟に液晶ディスプレイの省エネルギー化を図ることができる表示装置、画像形成装置、及び表示方法を提供することを目的とする。
【課題を解決するための手段】
【０００８】
請求項１に記載の発明は、液晶パネルと前記液晶パネルを照明するバックライトとを備えた液晶ディスプレイと、
前記バックライトに駆動電力を供給する電源部と、
前記電源部によって前記バックライトに供給される前記駆動電力を調整して前記バックライトの輝度を調整する輝度調整部と、
当該表示装置が備えられる電気機器において実行可能な各種機能動作の実行指示を受け付ける指示受付部と、
前記各種機能動作について時間帯毎に予め定められた輝度パターンと当該輝度パターンに対応付けられた前記バックライトに供給する前記駆動電力とを記憶する記憶部と、
前記指示受付部により前記実行指示が受け付けられると、当該実行指示が示す前記機能動作と当該実行指示が受け付けられた前記時間帯との組み合わせに対応する前記輝度パターンを前記記憶部から読み出して、当該読み出した前記輝度パターンで定められた前記駆動電力を前記バックライトに供給する指示を前記輝度調整部に送出する表示制御部と、
を備える表示装置である。
【０００９】
また、請求項４に記載の発明は、液晶パネルと前記液晶パネルを照明するバックライトとを備えた液晶ディスプレイと、前記バックライトに駆動電力を供給する電源部と、当該表示装置が備えられる電気機器において実行可能な各種機能動作について時間帯毎に予め定められた輝度パターンと当該輝度パターンに対応付けられた前記バックライトに供給する前記駆動電力とを記憶する記憶部と、を備えた表示装置における表示方法であって、
前記電源部によって前記バックライトに供給される前記駆動電力を調整して前記バックライトの輝度を調整する輝度調整ステップと、
前記各種機能動作の実行指示を受け付ける指示受付ステップと、
前記指示受付ステップにより前記実行指示が受け付けられると、当該実行指示が示す前記機能動作と当該実行指示が受け付けられた前記時間帯との組み合わせに対応する前記輝度パターンを前記記憶部から読み出して、当該読み出した前記輝度パターンで定められた前記駆動電力を前記バックライトに供給する指示を前記輝度調整ステップに送出する表示制御ステップと、
を備える表示方法である。
【００１０】
これらの発明では、表示制御部（表示制御ステップ）により、指示受付部（指示受付ステップ）によって受け付けられた実行指示が示す機能動作と当該実行指示が受け付けられた時間帯との組み合わせに対応する輝度パターンで定められた駆動電力がバックライトに供給され、バックライトの輝度が調整される。
【００１１】
このため、輝度パターンに応じて、実行指示された時間帯における実行指示された機能動作の実行のために必要な液晶パネルの視認性を確保しつつ、柔軟に液晶ディスプレイの省エネルギー化を図ることができる。
【００１２】
また、請求項２に記載の発明は、請求項１に記載の表示装置であって、前記指示受付部は、前記各種機能動作の実行指示として、
当該表示装置から入力された前記各種機能動作の即時実行指示と、
当該表示装置とは異なる外部装置から入力された前記各種機能動作の即時実行指示と、
前記表示装置から入力された所定時刻に前記各種機能動作を実行させる前記各種機能動作の予約実行指示と、
前記外部装置から入力された所定時刻に前記各種機能動作を実行させる前記各種機能動作の予約実行指示と、
を受け付け、
前記輝度パターンは、前記指示受付部で受け付けられる前記実行指示の入力装置及び前記各種機能動作の即時実行の可否に応じて更に分類されている。
【００１３】
この発明では、実行指示の入力装置に応じて輝度パターンが分類されているため、例えば、表示装置周辺は室内照明が消灯され、各種機能動作の実行指示を入力するための外部装置の周辺は室内照明が点灯されている場合には、表示装置に備えられた液晶パネルの視認性を確保する必要はないため、バックライトに供給される駆動電力を遮断してバックライトを消灯させる等、各種機能動作の実行指示の入力装置に応じて、更に柔軟に液晶ディスプレイの省エネルギー化を図ることができる。
【００１４】
また、この発明では、実行指示された各種機能動作の即時実行の可否に応じて輝度パターンが分類されているため、例えば、ＦＡＸ送信機能の即時実行指示が受け付けられた場合は、バックライトに供給する駆動電力を大きく調整してバックライトの輝度を高めることによって液晶パネルの視認性を高め、一方、ＦＡＸ送信機能の予約実行指示が実行指示として受け付けられた場合は、入力された所定時刻に機能動作が実行されるときに液晶パネルの視認性を確保する必要はないため、バックライトに供給される駆動電力を遮断してバックライトを消灯させたままＦＡＸ送信機能を実行する等、各種機能動作の即時実行の可否に応じて、更に柔軟に液晶ディスプレイの省エネルギー化を図ることができる。
【００１５】
また、請求項３に記載の発明は、請求項１または２に記載の表示装置と、
画像データを受け付ける画像データ受付部と、
前記画像データ受付部が受け付けた画像データを記録紙に形成する画像形成部と、
を備える画像形成装置である。
【００１６】
この発明では、画像形成装置において、請求項１または２に記載の発明における効果を奏することができる。
【発明の効果】
【００１７】
本発明によれば、実行指示される機能動作に応じて、柔軟に液晶ディスプレイの省エネルギー化を図ることができる表示装置、画像形成装置、及び表示方法を提供することが可能になる。
【図面の簡単な説明】
【００１８】
【図１】本発明に係る画像形成装置の一例としての複合機の一例を示す縦断面図
【図２】複合機の機能モジュールの一例を示すブロック図
【図３】ユーザインタフェース部の一例を示す正面図
【図４】各種機能動作と時間帯の組み合わせと輝度パターンとの対応付けの一例を示す説明図
【図５】液晶ディスプレイへの各種画面の表示方法の一例を示すフローチャート
【図６】待機画面の一例を示す説明図
【発明を実施するための形態】
【００１９】
以下、本発明の一実施形態に係る表示装置、画像形成装置、及び表示方法について説明する。図１は、本発明の一実施形態に係る画像形成装置の構成の一例として、カラーコピー、スキャナ、ファクシミリ、プリンタ等の機能を備えた複合機１の一例を示す縦断面図である。
【００２０】
図１に示すように、複合機１は、画像読取部２と装置本体３と装置本体３の左方に配設されたスタックトレイ６とを備えている。
【００２１】
画像読取部２は、原稿給紙部２１と、スキャナ部２２と、ＣＩＳ２３１と、ユーザインタフェース部５と、後述する反転機構を備えている。
【００２２】
原稿給紙部２１は、原稿トレイ２１１、ピックアップローラ２１２、プラテン２１３、排紙ローラ２１４及び排紙トレイ２１５を備え、ＡＤＦ（Ａｕｔｏｍａｔｉｃ  Ｄｏｃｕｍｅｎｔ  Ｆｅｅｄｅｒ：自動給紙装置）を構成する。
【００２３】
原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００２４】
プラテン２１３の周面に対向する位置のうち、原稿の搬送方向において読取位置Ｐより手前の予め定められた位置には、用紙を検出する図略のタイミングセンサが設置されており、当該タイミングセンサの出力信号に基づき、前記読取位置Ｐへの原稿の搬送タイミングが図られる。尚、タイミングセンサは、例えばフォトインタラプタにより構成される。
【００２５】
スキャナ部２２は、ガラス２２１、光源２２２、第１ミラー２２３、第２ミラー２２４、第３ミラー２２５、第１キャリッジ２２６、第２キャリッジ２２７、結像レンズ２２８、ＣＣＤ（Ｃｈａｒｇｅｄ  Ｃｏｕｐｌｅｄ  Ｄｅｖｉｃｅ）２２９を備え、原稿の画像を光学的に読み取って画像データを生成する。
【００２６】
ガラス２２１には、原稿給紙部２１によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００２７】
画像読取部２の原稿読取方式として、ガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。
【００２８】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。
【００２９】
ＣＣＤ２２９は一次元のイメージセンサであり、１ライン分の原稿の画像データを同時に処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００３０】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。
【００３１】
原稿給紙部２１による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００３２】
更に、原稿給紙部２１は、切換ガイド２１６、反転ローラ２１７及び反転搬送路２１８を備えた原稿反転機構を有する。この原稿反転機構が、１回目のＡＤＦ読み取りによって表面が読み取られた原稿を表裏反転させて読取窓２３０に再搬送することで、再度ＣＣＤ２２９によって裏面の読み取りが行われる。
【００３３】
この原稿反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００３４】
両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。
【００３５】
装置本体３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備えている。また、装置本体３は、給紙トレイ４７１と給紙トレイ４７１に載置された原稿を１枚ずつ画像形成部４０に向けて繰り出す繰り出しローラ４７２とを備えている。
【００３６】
画像形成部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ，４４Ｍ，４４Ｙ，４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００３７】
尚、シアン、マゼンタ、イエロー及びブラックの各色に対するトナーの供給は、図略のトナーカートリッジから行われる。また、画像形成部４０を通過した記録紙をスタックトレイ６又は排出トレイ４８まで搬送する搬送ローラ４６３，４６４等が設けられている。
【００３８】
記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００３９】
また、装置本体３の前方には、液晶により文字を表す図形や操作ボタンを表す図形を表示するための液晶ディスプレイ（ＬＣＤ（Ｌｉｑｕｉｄ  Ｃｒｙｓｔａｌ  Ｄｉｓｐｌａｙ））５１、及び、各種の操作ボタンを有する操作部１７が組み込まれたユーザインタフェース部５が、装置本体３の前方に露出するように設けられている。
【００４０】
図２は、複合機１の機能モジュールの一例を示したブロック図である。図２に示すように、複合機１は、パーソナルコンピュータ等の外部の装置を接続するための外部インタフェース１１、画像読取部２、画像読取部２で読み取られた原稿の画像データ又は外部インタフェース１１で得られた画像データを各種補正処理する画像処理部１４、画像読取部２で読み取られた原稿の画像データ、外部インタフェース１１で得られた画像データ、又は画像処理部１４で各種補正処理された画像データを記録紙に形成する画像形成部４０、ユーザインタフェース部５、計時部１８、複合機１を統括的に制御する制御部１０、画像読取部２、外部インタフェース１１、及び画像処理部１４から出力される画像データや複合機１が動作するための各種データ等を記憶するための、本発明に係る記憶部としてのＲＯＭ（Ｒｅａｄ  Ｏｎｌｙ  Ｍｅｍｏｒｙ）１５及びＲＡＭ（Ｒａｍｄｏｍ  Ａｃｃｅｓｓ  Ｍｅｍｏｒｙ）１６を備えている。
【００４１】
つまり、画像読取部２、外部インタフェース１１、及び画像処理部１４によって、本発明に係る画像データ受付部の一例が構成されている。尚、画像読取部２及び画像形成部４０の動作の詳細については、上記の通りであるため説明を省略する。
【００４２】
ユーザインタフェース部５は、表示装置Ａと操作部１７とを備えている。表示装置Ａは、図形情報受信部５３、電源部５４、本発明に係る輝度調整部としてのＬＣＤコントローラ５５、及び液晶ディスプレイ（ＬＣＤ）５１を備えている。
【００４３】
図形情報受信部５３は、表示装置Ａの外部（例えば制御部１０）から、ＬＣＤ５１に表示する図形を表す図形情報を受信する。尚、後述するように、図形情報受信部５３によって受信される図形情報で表される図形の線は、ＬＣＤ５１において黒色等の前景色で表示され、一方、当該図形情報で表される図形の線を除く部分は、ＬＣＤ５１において白色等の背景色で表示される。
【００４４】
電源部５４は、ＡＣ／ＤＣコンバータ等を備えて構成され、商用電源から供給される電力を所定の直流電力に変換して、ＬＣＤ５１の駆動電力を供給する。
【００４５】
ＬＣＤコントローラ５５は、後述する制御部１０の制御下で、電源部５４によってＬＣＤ５１に供給される駆動電力を調整してＬＣＤ５１に備えられたバックライト５１２の輝度を調整する等のＬＣＤ５１全体を制御する。
【００４６】
ＬＣＤ５１は、本発明に係る液晶パネルとしてのタッチパネル５１１とバックライト５１２とを備えている。
【００４７】
タッチパネル５１１は、液晶による図形表示を行う液晶パネルと図略のタッチパッドのような位置入力装置とを組み合わせて構成された電子部品であり、ユーザが液晶パネル上の表示を押すことで複合機１を操作する入力装置を構成している。
【００４８】
タッチパネル５１１には、文字や操作ボタンを表す図形を液晶パネルに表示するために、液晶パネルの画素毎に所定の方向を向いた複数の液晶が配置されている。各液晶に印加される電界の大きさはＬＣＤコントローラ５５によって制御され、これにより、各液晶がバックライト５１２からの照明光を透過若しくは遮断させる。
【００４９】
図３は、ユーザインタフェース部５の構成の一例を示す正面図である。図３に示すように、バックライト５１２は、例えばＬＥＤ（Ｌｉｇｈｔ  Ｅｍｉｔｔｉｎｇ  Ｄｉｏｄｅ）により構成され、また、タッチパネル５１１における液晶パネルの背面側に設けられ、液晶パネルの背面側から液晶パネルの全面を照明する。
【００５０】
尚、バックライト５１２が設置される位置は、タッチパネル５１１における液晶パネルの背面側以外の位置であってもよい。例えば、バックライト５１２から照射された光を、導光部材によって液晶パネルの背面側へ導光することによって、バックライト５１２から照射された光で液晶パネルの背面側を照明することができる。
【００５１】
また、ユーザインタフェース部５は、図３に示すように、操作部１７としての操作ボタン１７Ａ〜１７Ｉを備えている。操作ボタン１７Ａ〜１７Ｄは、まとまった状態で機能選択ボタン群１７０を構成している。操作ボタン１７Ａから１７Ｄの各々は、コピー機能、プリンタ機能、スキャナ機能、及びＦＡＸ送信機能の機能動作を複合機１に実行させるために、ユーザが当該機能動作の実行指示を入力する操作ボタンである。
【００５２】
操作ボタン１７Ｉは、複数まとまった状態で数字キー群を構成し、所謂テンキーとして構成されている。操作ボタン１７Ｉは、例えば、複合機１のコピー機能を動作させる際はコピー枚数を、ＦＡＸ送信機能を動作させる際は送信先の電話番号等を入力するために用いられる。
【００５３】
操作ボタン１７Ｅは、押下操作回数に伴って後述する輝度パターンの選択状態を切り替えて、当該選択状態にある輝度パターンの選択入力を受け付けるボタンである。ここで、操作ボタン１７Ｅの押下操作によって輝度パターンが選択されたときには、選択された輝度パターンを示すフラグが、制御部１０により、表示装置Ａ内の図示しないメモリ、又は、ＲＡＭ１６に記憶される。
【００５４】
操作ホタン１７Ｆは、リセットボタンを構成しており、液晶パネルの表示や各種設定を初期状態又は標準動作状態にするボタンである。操作ボタン１７Ｇは、ストップ／クリアボタンを構成しており、コピー動作やスキャナ動作等の各種機能動作の停止、入力操作の取り消しを行うボタンである。操作ボタン１７Ｈは、スタートボタンを構成しており、コピー動作やスキャナ動作等の各種機能動作の実行を開始させるボタンである。
【００５５】
図２に戻り、計時部１８は、リアルタイムクロック（ＲＴＣ（Ｒｅａｌ  Ｔｉｍｅ  Ｃｌｏｃｋ））を用いて月日及び時刻を計測する。尚、計時部１８により計測される月日及び時刻は、パーソナルコンピュータなどの外部の装置等と適宜同期がとられて、正しい月日及び時刻に補正される。
【００５６】
制御部１０は、指示受付部１０１と表示制御部１０２として機能する。
【００５７】
指示受付部１０１は、操作部１７、外部インタフェース１１及び計時部１８を介して、複合機１において実行可能な各種機能動作の実行指示を受け付ける。
【００５８】
表示制御部１０２は、指示受付部１０１により各種機能動作の実行指示が受け付けられると、当該実行指示が示す機能動作と当該実行指示が受け付けられた時間帯との組み合わせに対応する輝度パターンをＲＯＭ１５又はＲＡＭ１６から読み出して、当該読み出した輝度パターンで定められた駆動電力をバックライト５１２に供給する指示をＬＣＤコントローラ５５に送出する。
【００５９】
また、表示制御部１０２は、上記のように、操作ボタン１７Ｅの押下操作によって選択された輝度パターンを示すフラグが表示装置Ａ内の図示しないメモリ、又は、ＲＡＭ１６に記憶されていると判断すると、当該フラグが示す輝度パターンで定められた駆動電力をバックライト５１２に供給する指示をＬＣＤコントローラ５５に送出する。
【００６０】
ここで輝度パターンとは、試験運転等による実験値に基づいて、複合機１において実行可能な各種機能動作と時間帯との組み合わせに対応付けて、例えば、バックライト５１２に供給する電流量を示すデューティ比等の制御パラメータにより、バックライト５１２に供給する駆動電力を予め定めるものであり、複合機１の出荷前等に予めＲＯＭ１５に記憶されている。
【００６１】
具体的には、例えば、図４（ａ）に示すように、バックライト５１２に供給する電流量を示すデューティ比を制御パラメータとして、バックライト５１２に供給する駆動電力をデューティ比によって予め定めた６つの輝度パターンＡ〜ＦがＲＯＭ１５に記憶されている。そして、図４（ｂ）に示すように、当該輝度パターンＡ〜Ｆは、複合機１の各種機能動作と時間帯との組み合わせに対応付けてＲＯＭ１５に記憶されている。
【００６２】
この場合、表示制御部１０２は、８時から１２時の間の時間帯に、操作ボタン１７Ａによってコピー機能の即時実行の実行指示が入力され、当該実行指示が指示受付部１０１によって受け付けられると、当該実行指示が示す機能動作であるコピー機能と、８時から１２時の間の時間帯と、の組み合わせに対応する輝度パターンＡで定められた９０％のデューティ比でバックライト５１２に駆動電力を供給する指示をＬＣＤコントローラ５５に送出する。
【００６３】
これと同様に、表示制御部１０２は、操作ボタン１７Ａ〜１７Ｄによるコピー機能、プリンタ機能、スキャナ機能、又はＦＡＸ送信機能の即時実行の実行指示が指示受付部１０１によって受け付けられると、当該実行指示が示す機能動作と、計時部１８により計測された当該実行指示が受け付けられた時刻を含む時間帯と、の組み合わせに対応する輝度パターンで定められたデューティ比でバックライト５１２に駆動電力を供給する指示をＬＣＤコントローラ５５に送出する。
【００６４】
また、指示受付部１０１は、外部インタフェース１１を介してＦＡＸデータを受信することにより、当該ＦＡＸデータを図略のＲＡＭ１６等のメモリに記憶するＦＡＸ受信機能の即時実行の実行指示を受け付ける。
【００６５】
表示制御部１０２は、ＦＡＸ受信機能の即時実行の実行指示が受け付けられると、ＦＡＸ受信機能と、計時部１８により計測された当該実行指示が受け付けられた時刻を含む時間帯と、の組み合わせに対応する輝度パターンで定められたデューティ比でバックライト５１２に駆動電力を供給する指示をＬＣＤコントローラ５５に送出する。
【００６６】
また、指示受付部１０１は、操作ボタン１７ＤによるＦＡＸ送信機能の即時実行の実行指示を受け付ける場合にタッチパネル５１１等によって当該ＦＡＸ送信機能の実行開始時刻が入力設定されていることにより、当該実行開始時刻にＦＡＸ送信機能を即時実行するＦＡＸ送信機能の予約実行指示を受け付ける。
【００６７】
また、指示受付部１０１は、外部インタフェース１１を介してＦＡＸ送信機能の実行指示とＦＡＸ送信用のデータを受信することによってＦＡＸ送信機能の即時実行の実行指示を受け付ける。この場合においても、指示受付部１０１は、当該受信した実行指示にＦＡＸ送信機能の実行開始時刻が入力設定されていることにより、当該実行開始時刻にＦＡＸ送信機能を即時実行するＦＡＸ送信機能の予約実行指示を受け付ける。
【００６８】
指示受付部１０１は、上記のようにＦＡＸ送信機能の予約実行指示を受け付けた後、計時部１８により計測された時刻が入力設定された実行開始時刻になると、ＦＡＸタイマー送信機能の即時実行指示を受け付ける。
【００６９】
表示制御部１０２は、計時部１８により計測された時刻がＦＡＸ送信機能の予約実行指示が示す実行開始時刻になり、指示受付部１０１によって、ＦＡＸタイマー送信機能の即時実行指示が受け付けられると、ＦＡＸタイマー送信機能と、ＦＡＸタイマー送信機能の実行指示が示す所定の実行開始時刻を含む時間帯と、の組み合わせに対応する、輝度パターンＥで定められた１０％のデューティ比でバックライト５１２に駆動電力を供給する指示をＬＣＤコントローラ５５に送出する。
【００７０】
また、指示受付部１０１は、計時部１８により計測された時刻が何れかの機能動作の実行指示が受け付けられた時刻から予め定められた時間（例えば、１０分）以上経過した時刻になっても、何れの機能動作の実行指示も受け付けられないことにより、スリープ機能の即時実行指示を受け付ける。
【００７１】
表示制御部１０２は、スリープ機能の実行指示が受け付けられると、スリープ機能と、計時部１８により計測された当該実行指示が受け付けられた時刻を含む時間帯と、の組み合わせに対応する、輝度パターンＦで定められた０％のデューティ比でバックライト５１２に駆動電力を供給する指示をＬＣＤコントローラ５５に送出し、つまり、バックライト５１２への駆動電力の供給を停止して、バックライト５１２を消灯する。
【００７２】
尚、輝度パターン及び各種機能動作と時間帯の組み合わせと当該輝度パターンとの対応付けは、図４に示すものに限定する趣旨ではなく、例えば、バックライト５１２に供給する駆動電力を調整するための制御パラメータ、複合機１の各種機能動作の実行指示の入力装置、各種機能動作の即時実行の可否、及び各種機能動作が時間帯毎に実行指示される頻度等に応じて、適宜変更してもよい。
【００７３】
また、輝度パターン及び各種機能動作と時間帯の組み合わせと当該輝度パターンとの対応付けを示すデータは、タッチパネル５１１から編集入力する、又は、外部インタフェース１１を介してパーソナルコンピュータ等の外部の装置で編集された当該データを受信することによって生成し、ＲＡＭ１６に記憶することができる。
【００７４】
これに合わせて、表示制御部１０２は、輝度パターン及び各種機能動作と時間帯の組み合わせと当該輝度パターンとの対応付けを示すデータがＲＡＭ１６に記憶されている場合には、ＲＯＭ１５に代えて、ＲＡＭ１６から所望の輝度パターンを読み出すように構成されている。
【００７５】
以下では、上記の構成に従って、液晶パネルに各種画面を表示する表示方法について、図５を用いて説明する。
【００７６】
複合機１の電源が投入されると（Ｓ１；ＹＥＳ）、ＬＣＤコントローラ５５は、所定のデューティ比（例えば、９０％）で駆動電力をバックライト５１２に供給してバックライト５１２を最大輝度で点灯させ（Ｓ２）、制御部１０から送信された待機画面を表示するための図形を表す図形情報を図形情報受信部５３により受け付け（Ｓ３）、当該受け付けた図形情報で表される図形を含む待機画面を液晶パネルに表示する（Ｓ４）。
【００７７】
例えば、図６に示すように、液晶パネルにおける待機画面には、バックライト５１２から照射される光によって、操作ボタン５６を表す図形の線、及び、文字５７を表す図形の線が表示される。
【００７８】
ここで操作ボタン５６を表す図形の線とは、枠５６Ａと、枠５６Ａ内の文字を表す線５６Ｂとを示す。例えば、「Ａ４普通紙」を選択するための操作ボタン５６は、「Ａ４普通紙」という文字を囲む枠５６Ａと、「Ａ４普通紙」という文字の線５６Ｂとからなる。また、文字５７を表す図形の線は、この待機画面では、「コピーできます」という文字の線である。
【００７９】
尚、操作ボタン５６は、これに限らず、例えば、画像データが形成されるべき記録紙の種類を選択するためのボタン、記録紙に形成される画像データの、原稿画像に対する倍率を設定するためのボタン、記録紙に形成される画像データの濃度を設定するためのボタン等、各種機能動作の実行内容を設定するためのボタンであってもよい。
【００８０】
また、液晶パネルに表示される図形の線は、ＬＣＤコントローラ５５によって、当該図形の線の部分に対応する液晶がバックライト５１２からの光を遮断するように、また、当該図形の線を除く部分に対応する液晶がバックライト５１２からの光を透過するように、液晶の電界の大きさが制御されることによって表示される。
【００８１】
つまり、ＬＣＤコントローラ５５によって、バックライト５１２に供給する駆動電力の大きさに応じてバックライト５１２の輝度が調整され、また、液晶がバックライト５１２からの光を透過する度合いが調整されると、これに合わせて、液晶パネルに表示される図形の線の見やすさが調整される。
【００８２】
図５に戻り、待機画面が表示された状態で、操作部１７、外部インタフェース１１及び計時部１８を介して、指示受付部１０１によって各種機能動作の実行指示が受け付けられると（Ｓ５、指示受付ステップ；ＹＥＳ）、表示制御部１０２は、当該実行指示が示す機能動作と当該実行指示が受け付けられた時間帯との組み合わせに対応する輝度パターンをＲＯＭ１５等から読み出し（Ｓ６、表示制御ステップ）、当該読み出した輝度パターンで定められた駆動電力をバックライト５１２に供給する指示をＬＣＤコントローラ５５に送出する（Ｓ７、表示制御ステップ）。
【００８３】
ＬＣＤコントローラ５５は、表示制御部１０２から送出された指示が示す輝度パターンで定められた駆動電力をバックライト５１２に供給して、バックライト５１２を当該駆動電力に応じた所定の輝度で点灯し（Ｓ８、輝度調整ステップ）、制御部１０から送信された当該機能動作の実行中を示す画面を表示するための図形を表す図形情報を図形情報受信部５３により受け付け（Ｓ９）、当該受け付けた図形情報で表される図形を含む当該機能動作の実行中を示す画面を液晶パネルに表示する（Ｓ１０）。尚、機能動作の実行が終了すると、ステップＳ５の処理に戻り、指示受付部１０１によって各種機能動作の実行指示が受け付けられるまで待機状態となる（Ｓ５；ＮＯ）。
【００８４】
このように、本構成によれば、輝度パターンに応じて、実行指示された時間帯における実行指示された機能動作の実行のために必要な液晶パネルの視認性を確保しつつ、柔軟にＬＣＤ５１の省エネルギー化を図ることができる。
【００８５】
具体的には、本構成によれば、各種機能動作の実行指示が、操作部１７、外部インタフェース１１及び計時部１８の何れを介して入力されたかに応じて輝度パターンが分類されているため、例えば、複合機１周辺は室内照明が消灯され、プリンタ機能の実行指示を外部インタフェース１１を介して入力するためのパーソナルコンピュータの周辺は室内照明が点灯されている場合には、複合機１に備えられた液晶パネルの視認性を確保する必要はないため、バックライト５１２に供給される駆動電力を遮断してバックライト５１２を消灯させる等、各種機能動作の実行指示の入力装置に応じて、柔軟にＬＣＤ５１の省エネルギー化を図ることができる。
【００８６】
また、本構成によれば、実行指示された各種機能動作の即時実行の可否に応じて輝度パターンが分類されているため、例えば、ＦＡＸ送信機能の即時実行指示が受け付けられた場合は、バックライト５１２に供給する駆動電力を大きく調整してバックライト５１２の輝度を高めることによって液晶パネルの視認性を高め、一方、ＦＡＸ送信機能の予約実行指示が実行指示として受け付けられた場合は、入力された所定時刻に機能動作が実行されるときに液晶パネルの視認性を確保する必要はないため、バックライト５１２に供給される駆動電力を遮断してバックライト５１２を消灯させたままＦＡＸ送信機能を実行する等、各種機能動作の即時実行の可否に応じて、柔軟にＬＣＤ５１の省エネルギー化を図ることができる。
【００８７】
尚、上記実施形態においては、画像形成装置の一例として複合機を例に説明したが、これに限らず、本発明に係る表示装置を備えた、プリンタ、コピー機、スキャナ、又はＦＡＸ等の画像形成装置であってもよい。
【００８８】
尚、上記実施形態において図１乃至図６に示した構成及び設定は単なる一例に過ぎず、本発明を当該実施形態に限定する趣旨ではない。
【符号の説明】
【００８９】
１          複合機（画像形成装置）
２          画像読取部（画像データ受付部）
１１        外部インタフェース（画像データ受付部）
１４        画像処理部（画像データ受付部）
１５        ＲＯＭ（記憶部）
１６        ＲＡＭ（記憶部）
４０        画像形成部
５１        ＬＣＤ（液晶ディスプレイ）
５４        電源部
５５        ＬＣＤコントローラ（輝度調整部）
１０１      指示受付部
１０２      表示制御部
５１１      タッチパネル（液晶パネル）
５１２      バックライト
Ａ          表示装置
Ｓ５        指示受付ステップ
Ｓ６，Ｓ７  表示制御ステップ
Ｓ８        輝度調整ステップ
【図１】
2012118246.tif 000003
【図２】
2012118246.tif 000004
【図３】
2012118246.tif 000005
【図４】
2012118246.tif 000006
【図５】
2012118246.tif 000007
【図６】
2012118246.tif 000008